(57)【要約】【課題】複数のパネルを列設して面一に構築した壁体の外側にハンドルのような突出物のない面一な美観が得られる一方、パネル間の目地部を全く利用しないで、開き扉を簡単に施解錠できるようにする。【解決手段】ガイド手段Ｇのガイドピン４０の先端部４０ｂをスライダ３０に刻設したガイド溝３５に係止し、閉時、開き扉を押圧してスライダ３０が付勢ばね５０に抗して後退すると、ガイドピン４０の先端部４０ｂを前記ガイド溝３５の往路ａを通して第１ラッチ位置に案内してスライダ３０をロックする一方、開時、開き扉を再押圧すると、ロック解除されるスライダ３０が付勢ばね５０のばね復帰力により前進し、ガイドピン４０の先端部４０ｂをガイド溝３５の復路ｄを通して第２ラッチ位置に案内してスライダ３０をロックする構成とし、第１ラッチ位置と第２ラッチ位置との間をスライダ３０が直線往復移動するストロークＬを、開き扉Ｄ扉厚に合わせて設定する。【選択図】          図１
2015206196.tif 000002
【特許請求の範囲】
【請求項１】
複数のパネルを列設して面一に構築した壁体の外側から設備を点検する点検口を開閉する開き扉の施解錠機構において、
開き扉の戸先側竪框の内側に組み付ける錠装置と、該錠装置と開き扉の戸先側に隣接した袖パネルの扉側竪框に取り付けるプッシュラッチを備え、
前記錠装置は、
鍵穴を取付穴から外側に臨ませて前記戸先側竪框に設置する錠前と、該錠前の合鍵を前記鍵穴に差し込んで施錠方向又は解錠方向に回動すると、開き扉を施錠する施錠位置又は解錠する解錠位置に前記合鍵と一体に回動するロックレバーを備え、
前記プッシュラッチは、
先端に前記ロックレバーが施錠位置に回動すると係止するフックを有するスライダと、該スライダを直線往復移動可能に収納する本体ケースと、該本体ケース内から前進する方向に前記スライダを常時付勢する付勢ばねと、前記ロックレバーが前記フックに係止して直線往復移動する前記スライダを案内するガイド手段を備え、
該ガイド手段は、
基端部を前記本体ケースに取り付けたガイドピンの先端部を前記スライダに刻設したガイド溝に係止し、閉時、開き扉を押圧して前記スライダが前記付勢ばねに抗して後退すると、前記ガイドピンの先端部を前記ガイド溝の往路を通して第１ラッチ位置に案内して前記スライダをロックする一方、開時、開き扉を再押圧すると、ロック解除される前記スライダが付勢ばねのばね復帰力により前進し、前記ガイドピンの先端部を前記ガイド溝の復路を通して第２ラッチ位置に案内して前記スライダをロックする構成とし、
これら第１ラッチ位置と第２ラッチ位置との間を前記スライダが直線往復移動するストロークを開き扉の扉厚に合わせて設定してなることを特徴とする、開き扉の施解錠機構。
【請求項２】
前記開き扉の戸先側竪框は、その木口が前記合鍵を使って施解錠操作する開き扉の外側に向けて傾斜してなることを特徴とする、請求項１に記載の開き扉の施解錠機構。
【発明の詳細な説明】
【技術分野】
【０００１】
本発明は、複数のパネルを列設して面一に構築した壁体の点検口を開閉する開き扉を施解錠するのに好適な開き扉の施解錠機構に関する。
【背景技術】
【０００２】
最近のビル建築物では、複数の金属製パネルを列設して出っ張りなく一面フラットに室内壁を構築するため、設備の点検口を開閉する開き扉の設置個所も、施解錠操作のドアハンドルのような突起物が表の外側に出っ張らない一見して壁のように見える外観であることが要請されている。そこで、従来の開き扉の施解錠機構の中には、ケースハンドルを用いて扉の表の外側からドアハンドルが大きく突出しないような構造にしたものや、配電盤の収納箱の扉のように扉を開ける使用時にドアハンドルを取り付け、その不使用時にはドアハンドルを取り外すようにした構造のものがある（特許文献１参照）。
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の問題があった。
【０００４】
そこで、出願人は、閉状態において開き扉の外側に施解錠操作用ハンドルのような突出物のない美的外観を得られる一方、開き扉を外側から容易に施解錠できる開閉装置を提案している。この従来の開き扉の施解錠機構は、図１０に示すように、パネルｗ・ｗ´間の目地部１に外側へ臨む鍵操作用の小穴１ａを設け、目地部１の内側に装置本体２を設置し、装置本体２は、鍵穴３ａを鍵操作用小穴１ａに合わせて設けられるシリンダ錠３と、施解錠時は鍵操作用小穴１ａを通して鍵穴３ａに回転自在に抜き差しする鍵棒４と、鍵棒４を差し込んでシリンダ錠３の内部で正逆方向に回転すると、その回転に連動して開き扉５をロックするロック位置又はロック解除位置に回動するロックレバー６を備え、鍵棒４を、鍵操作用小穴１ａに通して鍵穴３ａに差し込み錠内部で正逆方向に回動すれば、開き扉５を外側から容易に施解錠できる構成になっている。
【先行技術文献】
【特許文献】
【０００５】
【特許文献１】特開平９−１００６５７号公報
【発明の概要】
【発明が解決しようとする課題】
【０００６】
ところが、従来の開き扉の施解錠機構は、開き扉の開閉時に、その都度、鍵棒４の先端を、目地部１の狭い隙間から鍵操作用小穴１ａを通して鍵穴３ａに差し込んで開き扉５を外側から施解錠するが、隙間の幅が狭いと、鍵棒４の先端が誤って目地部１の両縁に衝突しやすく、そのために目地部１が傷だらけになり、折角、いったん壁面が一面フラットになって向上した点検口周りの美的外観が経時に悪化する一方、だからと言って、鍵棒の差込み操作が容易になるように目地部１の幅を拡げると、閉時、一見すると壁のように見えるはずの外側正面に縦に目地部１の凹みが目立って点検口周りの美的外観が低下するという課題があった。
【課題を解決するための手段】
【０００７】
そこで、請求項１に記載の発明は、たとえば以下に示す図示実施の形態のとおり、複数のパネルｗ１・ｗ２・ｗ３…を列設して面一に構築した壁体Ｗの外側から設備を点検するための点検口Ｓを開閉する開き扉の施解錠機構において、開き扉Ｄの戸先側竪框１１の内側に組み付ける錠装置Ａと、該錠装置Ａと開き扉Ｄの戸先側に隣接した袖パネルｗ１の扉側竪框１０に取り付けるプッシュラッチＢを備え、前記錠装置Ａは、鍵穴を取付穴１７から外側に臨ませて前記戸先側竪框１１に設置するシリンダ錠１５のような錠前と、該錠前の合鍵を前記鍵穴に差し込んで施錠方向又は解錠方向に回動すると、開き扉Ｄを施錠する施錠位置又は解錠する解錠位置に前記合鍵と一体に回動するロックレバー２０を備え、前記プッシュラッチＢは、先端に前記ロックレバー２０が施錠位置に回動すると係止するフック３２を有するスライダ３０と、該スライダ３０を直線往復移動可能に収納する本体ケース２５と、該本体ケース２５内から突出する方向に前記スライダ３０を常時付勢する付勢ばね５０と、前記ロックレバー２０が前記フック３２に係止して直線往復移動する前記スライダ３０を案内するガイド手段Ｇを備え、該ガイド手段Ｇは、基端部４０ａを前記本体ケース２５に取り付けたガイドピン４０の先端部４０ｂを前記スライダ３０に刻設したガイド溝３５に係止し、閉時、開き扉Ｄを押圧して前記スライダ３０が前記付勢ばね５０に抗して後退すると、前記ガイドピン４０の先端部４０ｂを前記ガイド溝３５の往路ａを通して第１ラッチ位置に案内して前記スライダ３０をロックする一方、開時、開き扉Ｄを再押圧すると、ロック解除される前記スライダ３０が付勢ばね５０のばね復帰力により前進し、前記ガイドピン４０の先端部４０ｂを前記ガイド溝３５の復路ｄを通して第２ラッチ位置に案内して前記スライダ３０をロックする構成とし、この第１ラッチ位置と第２ラッチ位置との間を前記スライダ３０が直線往復移動するストロークＬを、開き扉Ｄの扉厚に合わせて設定してなることを特徴とする。
【０００８】
請求項２に記載の発明は、請求項１に記載の開き扉の施解錠機構において、たとえば以下に示す図示実施の形態のとおり、前記開き扉Ｄの戸先側竪框１１は、木口１１ｃが前記合鍵を使って施解錠操作する開き扉Ｄの外側に向けて傾斜してなることを特徴とする。
【発明の効果】
【０００９】
請求項１に記載の発明によれば、壁体の外側には、施解錠操作用にハンドルや取手等の突起物が全く設けられない構成なので、点検口の閉止状態において、一見すると開き扉も壁の一部のように見える面一な美観を得ることができる。一方で、開き扉が扉厚に相当する開き角度まで施錠状態のまま回動し、鍵穴が外側に臨んだ錠前を合鍵を使って施解錠操作すればよく、パネル間の目地部を利用して鍵棒の先端を目地部の狭い隙間に通して施解錠する操作が必要にならない構成にするため、鍵棒の先端が誤って目地部の狭い隙間の両縁に衝突して目地部が傷だらけになるようなこともなく、点検口周りの美的外観が悪化するのを防止することができる。しかも、パネル間の目地部を全く利用しないから、目地部の隙間を限りなくゼロに近く狭くした壁体の構築が実現し、全体に美感を更に高めることできる。
【００１０】
加えて、請求項１に記載の発明によれば、開時、開き扉を再押圧すると、ロック解除されるプッシュラッチのスライダが付勢ばねのばね復帰力により前進し、ガイド手段のガイドピンの先端部をガイド溝の復路を通して第２ラッチ位置に案内してスライダをロックする構成とし、この第１ラッチ位置と第２ラッチ位置との間をスライダが直線往復移動するストロークを開き扉の扉厚に合わせて設定しているから、開き扉は、付勢ばねのばね付勢力に基づいてスライダに押されて自動的に開方向に回動するが、扉厚に相当する開き角度だけ回動し、その施解錠操作位置に施錠状態でロックするため、ハンドル等を使用しなくても、支障なく簡単に開き扉を開けることができ、しかも、開き扉が同じ半開きでも戸先側竪框と袖パネルの扉側竪框とが密接したロック状態にあり、悪戯されることなく安全に施解錠操作することができる。
【００１１】
請求項２に記載の発明によれば、開き扉の戸先側竪框の木口が合鍵を使って施解錠操作する開き扉の外側に向けて傾斜していると、たとえ開き扉が扉厚に相当する開き角度ほどの半開き状態であっても、合鍵を鍵穴に対して簡単に抜き差し回動操作して開き扉を施解錠することができる。
【図面の簡単な説明】
【００１２】
【図１】（ａ）本発明の一例である開き扉の施解錠機構を施錠状態において示す平面図、（ｂ）同施解錠機構を、開き扉を施解錠操作位置まで開けたロック状態において示す平面図、（ｃ）同施解錠機構を解錠状態において示す平面図である。
【図２】（ａ）同施解錠機構を開き扉の施錠状態において示す側面図、（ｂ）同施解錠機構を開き扉を施解錠操作位置まで開けたロック状態において示す側面図、（ｃ）同施解錠機構を開き扉の解錠状態において示す側面図である。
【図３】同施解錠機構を適用した壁体を開き扉の閉状態において示す斜視図である。
【図４】同壁体を開き扉の閉状態において示す平面図である。
【図５】（ａ）プッシュラッチの内部構造をスライダが第１ラッチ位置にロック状態において示す平面透視図、（ｂ）同内部構造をスライダが第２ラッチ位置にロック状態において示す平面透視図である。
【図６】（ａ）〜（ｄ）同プッシュラッチの一連の動作を段階的に示す平面透視図である。
【図７】同壁体を、開き扉が施解錠操作位置に開いた状態で示す平面図である。
【図８】同壁体を、開き扉が施解錠操作位置に開いた状態で示す斜視図である。
【図９】同壁体を開き扉の開状態において示す平面図である。
【図１０】従来の開き扉の施解錠機構を適用した壁体を開き扉の半開き状態において示す斜視図である。
【発明を実施するための形態】
【００１３】
以下、図面を参照しつつ、本発明の実施の形態について説明する。
【００１４】
図３および図４に示すように、本発明の一例である開き扉の施解錠機構を適用した壁体Ｗは、パネルｗ１・ｗ２・ｗ３…を列設して面一に構築した室内壁で、両側の袖パネルｗ１・ｗ３に対して中間のパネルｗ２を、たとえば室内設備の点検口Ｓを開閉する開き扉Ｄで形成する。図示例のパネルｗ１・ｗ２・ｗ３…は、それぞれスチール板の両端をクランク状に折り返して竪框を形成し、隣り合う竪框相互の継目に、外側から内側が臨めない立て目地が形成される。
【００１５】
壁体Ｗの袖パネルｗ１は、開き扉Ｄ側の端部において、スチール板を断面Ｌ状に屈曲して凹状の戸当り１０ａを形成すると共に、戸当り部１０ａからそれと逆向きの断面Ｌ状に屈曲して凸状の取付部１０ｂを形成し、凹状の戸当り部１０ａと凸状の取付部１０ｂとで竪框１０を構成する。それら戸当り部１０ａと取付部１０ｂの間には、一部折り重ね部分１０ｃを設けて戸当り部１０ａに凹溝１２を形成し、その凹溝１２に戸当り時の衝撃を緩衝するクッション材１３を嵌め込んでなる。
【００１６】
一方、開き扉Ｄは、扉厚が一定規格の、例えば４０ｍ~４５ｍｍで、戸先側端部を断面Ｚ状に屈曲して戸先側竪框１１を形成する。開き扉Ｄの戸先側竪框１１は、閉時に袖パネルｗ１の戸当り部１０ａと対向する内側の戸当り部１１ａと、戸当り部１１ａと平行な目地隠し部１１ｂと、目地隠し部１１ｂと戸当り部１１ａとの間の木口１１ｃとで形成する。木口１１ｃは、その表面が開き扉Ｄの外側に向けて傾斜してなる。開き扉Ｄの戸先側竪框１１の木口１１ｃが合鍵を使って施解錠操作する開き扉Ｄの外側に向けて傾斜していると、たとえ開き扉Ｄが扉厚に相当する開き角度ほどの半開き状態であっても、合鍵を鍵穴に対して簡単に抜き差し回動操作して開き扉を施解錠することができる。そして、開き扉Ｄは、閉状態において、点検口Ｓに収まって壁体Ｗと面一になるように、吊元側の竪框１４を袖パネルｗ３に蝶番１６により回動自在に取り付ける。
【００１７】
そこで、図示例の開き扉施解錠機構では、開き扉Ｄの戸先側竪框１１において、木口１１ｃに後記シリンダ錠１５のシリンダ１８の直径に合わせて取付穴１７を穿設し、その取付穴１７を開けた位置で木口１１ｃの内側に錠装置Ａを組み付ける一方、袖パネルｗ１の扉側竪框１０の取付部１０ｂにプッシュラッチＢを取り付ける。
【００１８】
錠装置Ａは、錠前のシリンダ錠１５と、シリンダ錠１５の鍵穴に抜き差して回動操作する合鍵と、開き扉Ｄの開閉をロックするロックレバー２０を備える。
【００１９】
シリンダ錠１５は、合鍵を用いて、シリンダ（外筒）１８内の複数本のピンタンブラーを動かしてプラグ（内筒）を回し、プラグと同軸に回転自在に内挿したジョイントを回動する錠前構造になっている。ロックレバー２０は、やや長手の金属板をＬ状に屈曲し、片側の連結板部２０ａを止め輪２２で挟んで軸挿通穴にシリンダ錠１５のジョイントを貫挿し、シリンダ錠１５のプラグに９０度の角度範囲一体に回動可能に連結する。以って、錠装置Ａは、シリンダ錠１５にロックレバー２０を枢着し、合鍵をシリンダ錠１５の鍵穴に差し込んで施錠方向又は解錠方向に回動すると、ロックレバー２０が開き扉Ｄの開閉をロックする施錠位置又はロック解除する解錠位置に合鍵と一体に回動する構造になっている。
【００２０】
そこで、錠装置Ａは、シリンダ１８を、開き扉Ｄの戸先側竪框１１の木口１１ｃに開いた取付穴１７に鍵穴側前部と反対の後部側から嵌挿してから、シリンダ１８の前部外周に環状ワッシャー２１をねじ込み、竪框１１の木口１１ｃを外側の錠キャップ２２とで締着し、シリンダ錠１５の鍵穴を外側に臨ませて、戸先側竪框１１の木口１１ｃの内側に組み付ける。
【００２１】
プッシュラッチＢは、図３、図４および図５に示すように、本体ケース２５に金属製の箱形保護カバーＣを被せて袖パネルｗ１の扉側竪框１０の取付部１０ｂに組み付ける。本体ケース２５は、合成樹脂からなり一端側の正面に出入口２４が開いた箱状収納部２５ａを備え、箱状収納部２５ａの両側にねじ止め鍔部２５ｂを有し、箱状収納部２５ａ内にスライダ３０を直線往復摺動可能に収納する。
【００２２】
スライダ３０は、アルミダイキャスト製の本体バー３１と、本体バー３１の先端に平面視Ｌ字形の金属片からなるフック３２を固定する一方、基端にばね掛け凸部３０ａを突設し、片側板面に直線往復摺動するスライダ３０を案内するガイド手段Ｇのハート形ガイド溝３５を刻設している。プッシュラッチＢは、このスライダ３０のばね受け凸部３０ａと、箱状収納部２５ａの後端部から内向きに凸設したばね受け凸部２７との間に圧縮コイルばねの付勢ばね５０を縮設し、スライダ３０を本体ケース２５の出入口２４から突出する方向に付勢して箱状収納部２５ａ内に収納する。
【００２３】
ガイド手段Ｇは、スライダ３０に備えるガイド溝３５と、ガイド溝３５に先端を係止してスライダ３０を案内するガイドピン４０とを備える。ガイド溝３５は、往路ａ、一対の谷部ｂ・ｃ、それら谷部ｂ・ｃ間の窪みｘおよび復路ｄからなり、往路ａの後端から復路ｄの前端まで次第に溝の深さが深くなり、往路ａと谷部ｂとの間、谷部ｂと窪みｘとの間、谷部ｃと復路ｄとの間に溝深さが深くなるように段差を設け、窪みｘと谷部ｃは同じ深さで段差がなく、復路ｄは前端から後端に至るに従い次第に深さが浅くなり、復路ｄの後端と往路ａの後端との間にも往路ａの後端側が深くなる段差を形成する。
【００２４】
ガイドピン４０は、金属製の軸の両端部を屈曲してコ字形に成形し、図５に示すように基端部４０ａを本体ケース２５の箱状収納部２５ａのばね受け凸部２７の横で後端部に回動自在に保持する一方、先端部４０ｂをスライダ３０のガイド溝３５に掛け止める。そこで、ガイド手段Ｇは、箱状収納部２５ａの後端部に一端を固定した板ばね２９でガイドピン４０を押えて先端部４０ｂがガイド溝３５内から浮き上がらないように掛け止める一方、ガイド溝３５の各段差により往路ａ→谷部ｂ→窪みｘ→谷部ｃ→復路ｄ→往路ａの方向へは移動可能にするが、逆方向へは移動不能になっている。
【００２５】
そこで、プッシュラッチＢにおいて、スライダ３０は付勢ばね５０の付勢力により本体ケース２５から突出する向きに前進する一方、図５（ｂ）に示すように、ガイドピン４０の先端部４０ｂがガイド溝３５の往路ａの後端溝縁ｙに係止することによりスライダ３０を第１ラッチ位置にロックした状態を初期状態とする。
【００２６】
さて、プッシュラッチＢは、この初期状態にあるとき、図６（ａ）に示すように、スライダ３０を付勢ばね５０に抗して押圧して後退させると、図６（ｂ）に示すように、ガイドピン４０の先端部４０ｂはガイド溝３５の往路ａ、谷部ｂを経て窪みｘまで移動し、その窪みｘに付勢ばね５０の付勢力により嵌り込んで、スライダ３０を、第１ラッチ位置から一定のストロークＬだけ引っ込んだ第２ラッチ位置に停止してロックする。
【００２７】
次いで、プッシュラッチＢは、いま第２ラッチ位置にあるスライダ３０を再び押圧すると、ガイドピン４０の先端部４０ｂが嵌り込んだガイド溝３５の窪みｘから外れて、スライダ３０を、図６（ｃ）に示すように、付勢ばね５０のばね復帰力により前進し、ガイドピン４０の先端部４０ｂはガイド溝３５の谷部ｃ、復路ｄを通って移動する。それから、プッシュラッチＢは、スライダ３０が更に前進し、図６（ｄ）に示すように、ガイドピン４０の先端部４０ｂがガイド溝３５の復路ｄを通り往路ａの後端溝縁ｙまで移動してそこに係止し、スライダ３０を、第２ラッチ位置から一定のストロークＬだけ突出した第１ラッチ位置に停止してロックする構造になっている。
【００２８】
そこで、本発明において、プッシュラッチＢは、図７に示すように、都度、押すだけの操作でスライダ３０を第１ラッチ位置と第２ラッチ位置との間をガイド手段Ｇで案内して直線往復摺動するストロークＬを開き扉Ｄの扉厚（例えば４０ｍｍ~４５ｍｍ）に合わせて設定している。
【００２９】
従って、プッシュラッチＢは、スライダ３０のフック３２を、開き扉Ｄの木口１１ｃの内側に組み付けた錠装置Ａに向けて、高さ方向には錠装置Ａの組付位置に合わせると共に、奥行方向には、スライダ３０が第１ラッチ位置にまで突出した状態にあるとき、開き扉Ｄの施錠位置に回動したロックレバー２０がフック３２に係止する奥行位置にあって、袖パネルｗ１の扉側竪框１０の取付部１０ｂに取り付ける。
【００３０】
従って、本発明において、開き扉Ｄの閉時は、図１（ａ）、図２（ａ）、図３、図４および図５（ａ）に示すように、錠装置Ａのロックレバー２０が先端のフック３２に係止したプッシュラッチＢのスライダ３０を、ガイドピン４０の先端部４０ｂをガイド溝３５の窪みｘに付勢ばね５０の付勢力により嵌め込んで第２ラッチ位置にロックし、開き扉Ｄを壁体Ｗと面一に列設して点検口Ｓを閉止する。
【００３１】
他方、その後に、点検口Ｓの外側から設備を点検するために点検口Ｓを開けるときは、開き扉Ｄの戸先側端部を、プッシュラッチＢの付勢ばね５０に抗して押圧すると、ガイドピン４０の先端部４０ｂがガイド溝３５の窪みｘから外れて、図６（ｃ）に示すように、谷部ｃを経て復路ｄを移動する一方、スライダ３０は、付勢ばね５０のばね復帰力によって前進するが、図６（ｄ）に示すように、ガイドピン４０の先端部４０ｂが往路ａの後端溝縁ｙまで移動し、その後端溝縁ｙに係止すると、図５（ｂ）に示すように、第２ラッチ位置から一定のストロークＬだけ突出した第１ラッチ位置で停止し、この位置にロックする。すると同時に、開き扉Ｄは、付勢ばね５０のばね付勢力に基づいて、スライダ３０に押されて、図１（ｂ）および図７に示すように自動的に開方向へ回動する。
【００３２】
そのとき、本発明は、開き扉Ｄを開方向にばね付勢して押し開くプッシュラッチＢが、ガイド手段Ｇで案内してスライダ３０が第１ラッチ位置と第２ラッチ位置との間を直線往復摺動するストロークＬを開き扉の扉厚に合わせて設定しているから、図１（ｂ）、図７および図８に示すように、開き扉Ｄは、付勢ばね５０のばね付勢力に基づいて、スライダ３０に押されて自動的に開方向に回動するが、扉厚に相当する開き角度まで回動した施解錠操作位置に停止し、その施解錠操作位置にロックレバー２０の掛け止め部２０ｂがスライダ３０のフック３２に係止した施錠状態でロックすることができる。
【００３３】
そこで、そのまま点検口Ｓの外側から、錠装置Ａのシリンダ錠２０の鍵穴に合鍵１９を差し込んでシリンダ（外筒）１８内で解錠方向へプラグ（内筒）と一体にロックレバー２０を９０度回転し、プッシュラッチＢのスライダ３０のフック３２から外して解錠し、これによって開き扉Ｄのロックを解除する。それから、戸先側竪框１１に手を掛けて、図８および図９に示すように開き扉Ｄを更に開くように操作すればよい。
【００３４】
しかる後、点検口Ｓの外側から設備の点検作業を終え、そのまま点検口Ｓの外側から開き扉Ｄを閉じて施錠する場合は、図７に示すように、いったん開き扉Ｄを施解錠操作位置まで押し戻してから、施解錠操作位置において、シリンダ錠２０の鍵穴に合鍵１９を差し込んで、今度は施錠方向へプラグ（内筒）と一体にロックレバー２０を９０度逆回転し、スライダ３０のフック３２に掛け止める。
【００３５】
しかる後、合鍵１９をシリンダ錠１５の鍵穴から抜き取って施錠し、これによって開き扉Ｄを再びロックする。それから、点検口Ｓの外側から開き扉Ｄの戸先側竪框１１側を再び押圧すると、第２ラッチ位置にロックしたスライダ３０が付勢ばね５０に抗して後退し、図６（ｂ）に示すように、ガイドピン４０の先端部４０ｂはガイド溝３５の往路ａ、谷部ｂを経て窪みｘまで移動し、その窪みｘに付勢ばね５０の付勢力により嵌り込んで、スライダ３０を、第２ラッチ位置から一定のストロークＬだけ引っ込んだ第１ラッチ位置に停止し、その第１ラッチ位置にロックし、開き扉Ｄを壁体Ｗと面一に列設して点検口Ｓを閉止する。
【００３６】
以上の図示実施の形態では、壁体Ｗの外側には、施解錠操作用にハンドルや取手等の突起物が全く設けられない構成なので、点検口Ｓの閉止状態において、一見すると開き扉も壁の一部のように見える面一な美観を得ることができる。しかも、パネルｗ１・ｗ２・ｗ３間の目地部を全く利用しないから、目地部の隙間を限りなくゼロに近く狭くした壁体の構築が実現し、全体に美感を更に一層高めることできる。
【００３７】
一方で、図示実施の形態では、開き扉Ｄが扉厚Ｌに相当する開き角度まで施錠状態のまま回動し、鍵穴１７が外側に臨んだ錠前を合鍵を使って施解錠操作すればよく、パネル間の目地部を利用して鍵棒の先端を目地部の狭い隙間に通して施解錠する操作が必要にならない構成であるため、鍵棒の先端が誤って目地部の狭い隙間の両縁に衝突して目地部が傷だらけになるようなこともなく、点検口周りの美的外観が悪化するのを防止することができる。
【符号の説明】
【００３８】
Ａ                錠装置
Ｂ                プッシュラッチ
Ｄ                開き扉
Ｇ                ガイド手段
Ｌ                ストローク
Ｓ                点検口
Ｗ                壁体
１０・１１        竪框
１５              シリンダ錠（錠前）
１９              合鍵
２０              ロックレバー
２５              本体ケース
３０              スライダ
３２              フック
３５              ガイド溝
４０              ガイドピン
５０              付勢ばね
【図１】
2015206196.tif 000003
【図２】
2015206196.tif 000004
【図３】
2015206196.tif 000005
【図４】
2015206196.tif 000006
【図５】
2015206196.tif 000007
【図６】
2015206196.tif 000008
【図７】
2015206196.tif 000009
【図８】
2015206196.tif 000010
【図９】
2015206196.tif 000011
【図１０】
2015206196.tif 000012